(57)【要約】      （修正有）【課題】排ガス触媒の不活性化が緩和され、および／またはオイルの消費量が低減された潤滑剤調合物と潤滑方法を提供すること。【解決手段】（ａ）ノアク揮発度が約５から約１５の基油、および（ｂ）第１級アルコキシ部分を有するジンクジアルキルジチオホスフェートを含む潤滑剤組成物で、ここで当該潤滑剤組成物が、すべてが第２級のアルコキシ部分を有するジンクジアルキルジチオホスフェートを実質的に含んでいない、潤滑剤組成物。【選択図】なし【特許請求の範囲】
【請求項１】
潤滑剤組成物であり：
（ａ）ノアク揮発度が約５から約１５の基油、および
（ｂ）第１級アルコキシ部分を有するジンクジアルキルジチオホスフェート
を含む潤滑剤組成物で、ここで当該潤滑剤組成物が、すべてが第２級のアルコキシ部分を有するジンクジアルキルジチオホスフェートを実質的に含んでいない、潤滑剤組成物。
【請求項２】
基油のノアク揮発度が約１０から約１５である、請求項１に記載の潤滑剤組成物。
【請求項３】
基油が、グループＩの基油、グループＩＩの基油、グループＩＩＩの基油、グループＩＶの基油、およびグループＶの基油から成るグループから選択された一つ以上の要素を含んでいる、請求項１に記載の潤滑剤組成物。
【請求項４】
潤滑剤組成物中のリンの総量に、すべてが第２級のアルコキシ部分を有するジンクジアルキルジチオホスフェートに起因するリンが約２０％未満含まれている、請求項１に記載の潤滑剤組成物。
【請求項５】
第１級アルコキシ部分を有するジンクジアルキルジチオホスフェートが、潤滑剤組成物中に約０．０３重量％から約０．１５重量％のリンを供給するのに十分な量で存在する、請求項１に記載の潤滑剤組成物。
【請求項６】
潤滑剤組成物が、さらに第１級と第２級の両方のアルコキシ部分を有するジンクジアルキルジチオホスフェートを含む、請求項１に記載の潤滑剤組成物。
【請求項７】
潤滑剤組成物であり：
（ａ）ノアク揮発度が約５から約１５の基油と
（ｂ）（ｉ）約５０から約１００モル％の炭素数が約１から約１８である第１級アルコ
ール、
（ｉｉ）約５０モル％以下の炭素数が約３から約１８である第２級アルコール、
（ｉｉｉ）リンを含んだ成分、および
（ｉｖ）亜鉛を含んだ成分
の反応生成物を含む潤滑剤組成物。
【請求項８】
（ａ）ノアク揮発度が約５から約１５の基油、および
（ｂ）第１級アルコキシ部分を有するジンクジアルキルジチオホスフェート
を含む潤滑剤組成物でエンジンを潤滑することを含む、自動車排ガス触媒コンバータにおける触媒の不活性化を減少させる方法であり、ここで当該潤滑剤組成物にすべてが第２級のアルコキシ部分を有するジンクジアルキルジチオホスフェートが実質的に含まれていない、方法。
【請求項９】
（ａ）ノアク揮発度が約５から約１５の基油、および
（ｂ）第１級アルコキシ部分を有するジンクジアルキルジチオホスフェート
を含む潤滑剤組成物でエンジンを潤滑することを含む、エンジン内のオイルの消費量を減少させる方法であり、ここで当該潤滑剤組成物にすべてが第２級のアルコキシ部分を有するジンクジアルキルジチオホスフェートが実質的に含まれていない、方法。
【請求項１０】
エンジンに潤滑剤組成物を接触させることを含むエンジンの潤滑方法であり、当該潤滑
剤組成物が、
（ａ）ノアク揮発度が約５から約１５の基油、および
（ｂ）第１級アルコキシ部分を有するジンクジアルキルジチオホスフェート
を含み、当該潤滑剤組成物にすべてが第２級のアルコキシ部分を有するジンクジアルキルジチオホスフェートが実質的に含まれていない、方法。
【発明の詳細な説明】
【技術分野】
【０００１】
本明細書に記載の実施態様は、排ガス触媒の不活性化が緩和され、および／またはオイルの消費量が低減された、特定の調合物および方法に関連する。
【背景技術】
【０００２】
自動車のエンジンオイルは、５０年以上にわたってジンクジアルキルジチオホスフェート（ＺＤＤＰ）で調合され、その結果磨耗、酸化、および腐食のレベルが下げられてきた。この添加剤は至る所に存在し、現代のほぼすべてのエンジンオイル中に見られる。これは耐磨耗性、耐酸化性、および耐腐食性などの分野において多機能性を示し、エンジンオイルメーカーおよび販売業者による一般的用途において、紛れもなく最もコスト効率の良い添加物の一つである。しかしながら、燃焼されたオイルから得られるリンが不浸透性のグレーズを形成して、貴金属触媒部分を覆ってしまった場合、排ガス触媒コンバータおよび酸素センサーの分野に深刻な問題を引き起こすことが知られている。その結果、自動車メーカーでは、コンバータおよび酸素センサーの寿命を延長させるために、エンジンオイル中で使用されるＺＤＤＰの量をコントロールし、また減少させること、そして貴金属の含有量を少なくすることによって製造元にかかるコンバータの初期費用を低減することが必要となる。
【発明の開示】
【０００３】
ある実施態様で、潤滑剤組成物は、ノアク（ＮＯＡＣＫ）揮発度が約５から約１５の基油と、第１級アルコキシ部分を有するジンクジアルキルジチオホスフェートを含み得る。この潤滑剤組成物には、すべてが第２級のアルコキシ部分を有するジンクジアルキルジチオホスフェートは実質的に含まれていない。
【０００４】
別の実施態様では、潤滑剤組成物は、（ａ）ノアク揮発度が約５から約１５の基油と（ｂ）（ｉ）約５０から約１００モル％の、炭素数が約１から約１８である第１級アルコール、（ｉｉ）約５０モル％以下の、炭素数が約３から約１８である第２級アルコール、（ｉｉｉ）リンを含んだ成分、および（ｉｖ）亜鉛を含んだ成分の反応生成物を含み得る。
【０００５】
別の実施態様において、自動車排ガス触媒コンバータにおける触媒の不活性化を減少させる方法は、（ａ）ノアク揮発度が約５から約１５の基油、および（ｂ）第１級アルコキシ部分を有するジンクジアルキルジチオホスフェートを含む潤滑剤組成物でエンジンを潤滑することから成る。この潤滑剤組成物には、すべてが第２級のアルコキシ部分を有するジンクジアルキルジチオホスフェートは実質的に含まれていない。
【０００６】
別の実施態様において、エンジン内のオイルの消費量を減少させる方法は、（ａ）ノアク揮発度が約５から約１５の基油、および（ｂ）第１級アルコキシ部分を有するジンクジアルキルジチオホスフェートから成る潤滑剤組成物でエンジンを潤滑することから成る。この潤滑剤組成物には、すべてが第２級のアルコキシ部分（ａｌｌ−ｓｅｃｏｎｄａｒｙ
ａｌｋｏｘｙ  ｍｏｉｅｔｉｅｓ）を有するジンクジアルキルジチオホスフェートは実質的に含まれていない。当潤滑剤組成物は、オイルの消費量すべてが第２級のアルコキシ部分を有するジンクジアルキルジチオホスフェートを含有した潤滑剤組成物に比べ、オイルの消費量を低減させる。
【０００７】
別の実施態様で、エンジンを潤滑する方法は、当該のエンジンに潤滑剤組成物を接触させることから成り、当該潤滑剤組成物は、（ａ）ノアク揮発度が約５から約１５の基油、および（ｂ）第１級アルコキシ部分を有するジンクジアルキルジチオホスフェートを含む
。この潤滑剤組成物には、すべてが第２級のアルコキシ部分を有するジンクジアルキルジチオホスフェートは実質的に含まれていない。当潤滑剤組成物は、オイルの消費量すべてが第２級のアルコキシ部分を有するジンクジアルキルジチオホスフェートを含有した潤滑剤組成物に比べ、オイルの消費量を低減させる。さらに当潤滑剤組成物は、すべてが第２級のアルコキシ部分を有するジンクジアルキルジチオホスフェートを含有した潤滑剤組成物に比べ、自動車排ガス触媒コンバータ中の触媒の不活性化を低減させる。
【０００８】
本明細書に記載の組成物および方法は、特に排ガス触媒の不活性化の低減および／またはオイル消費量の減少に適している。本明細書に記載の組成物および方法のその他の特徴および利点は、本明細書に記載の実施例を限定することを目的とすることなく実施例の態様を例示することを目的とした、以下の詳細な説明を参照することにより明らかである。
【０００９】
前述の概要および以下の詳しい説明は、共に例示および説明のみを目的としたものであり、開示・請求された実施例のさらなる説明を提供することが意図されたものであると理解される。
【００１０】
（発明の詳細な説明）
本明細書に記載の実施態様に基づいた潤滑剤組成物は、基油および第１級アルキル部分を有するジンクジアルキルジチオホスフェートを含み得るものであり、当該潤滑剤組成物は、実質的に第２級アルキル部分を有するジンクジアルキルジチオホスフェートを含んでいない。
【００１１】
当該潤滑剤組成物は、エンジンオイル用および／またはヘビーデューティーのエンジンオイル用などを含むがこれらに限定されることのない、多様な用途での仕様に適している。例としては、火花点火および圧縮点火の内燃エンジン、車やトラックのエンジン、船舶および鉄道用のディーゼルエンジン、その他を含む、多様な用途用のクランクケースおよび／または触媒コンバータが挙げられる。
【００１２】
当該潤滑剤組成物には、基油および一つ以上の添加剤成分が含まれる。これらの添加剤成分を組み合わせて、基油と組み合わされる添加剤パッケージを形成することができる。またあるいは、この添加剤成分を直接基油と組み合わせてもよい。
【００１３】
基油
当実施態様での使用に適した基油は、鉱油（または天然油）、合成潤滑油、植物油、およびそれらの組み合わせなどのような、一つ以上の潤滑粘度のオイルを含み得る。このような基油には、車やトラックのエンジン、船舶および鉄道用のディーゼルエンジン、その他のような、火花点火および圧縮点火の内燃エンジン用のクランクケース潤滑油として従来使用されていたものが含まれる。好適な基油のノアク揮発度は約５から約１５である。別の例で好適な基油のノアク揮発度は、約１０から約１５である。さらに別の例で好適な基油のノアク揮発度は約９から約１３である。基油は一般的に、以下の表１に示されるように、グループＩ、グループＩＩ、グループＩＩＩ、グループＩＶおよびグループＶに分類される。
【表１】
2008138174.tif 000002
【００１４】
合成基油の非限定的例としては、ジカルボン酸のアルキルエステル、ポリグリコールおよびアルコール、ポリブテンを含むポリアルファオレフィン、アルキルベンゼン、リン酸の有機エステル、ポリシリコーン油、およびアルキレンオキシドポリマー、インターポリマー、コポリマー、および末端ヒドロキシル基がエステル化、エーテル化、その他によって修飾されているそれらの誘導体などが含まれる。
【００１５】
鉱物基油には、動物油および植物油（例えばヒマシ油やラードオイル）、液体石油、および水素化精製され、溶媒処理または酸処理された、パラフィン系、ナフテン系、およびパラフィン・ナフテン混合系の鉱油系潤滑油が含まれるが、これらに限定はされない。石炭または頁岩から得られた潤滑粘度のオイルもまた、基油として有用である。
【００１６】
ＺＤＤＰ成分
本明細書に開示された潤滑剤組成物は、第１級アルコキシ部分を有するジンクジアルキルジチオホスフェート（ＺＤＤＰ）を含み得る。この潤滑剤組成物は、すべてが第２級のアルコキシ部分を有するＺＤＤＰを実質的に含んでいない。さらに、潤滑剤組成物中のリンの総量には、約２０％未満の、すべてが第２級のアルコキシ部分を有するジンクジアルキルジチオホスフェートに起因するリンが含まれている。別の例では、潤滑剤組成物中のリンの総量には、約１５％未満の、すべてが第２級のアルコキシ部分を有するジンクジアルキルジチオホスフェートに起因するリンが含まれている。また別の例では、潤滑剤組成物中のリンの総量には、約１０％未満の、すべてが第２級のアルコキシ部分を有するジンクジアルキルジチオホスフェートに起因するリンが含まれている。
【００１７】
当該潤滑剤組成物は、約０．０３重量％から約０．１５重量％のリンを潤滑剤組成物中に供給するのに十分な量の、第１級アルコキシ部分を有するＺＤＤＰから成る。この潤滑剤組成物はまた、さらに第１級および第２級の両方のアルコキシ部分を有するＺＤＤＰを含むこともある。第１級および第２級の両方のアルコキシ部分を有するＺＤＤＰは、約０．０３重量％から約０．１５重量％のリンを潤滑剤組成物中に供給するのに十分な量で存在する。
【００１８】
好適なＺＤＤＰは、特定量の第１級および第２級アルコールから作られる。例えば、第１級アルコールと第２級アルコールは、約１００：０から約５０：５０の比率で組み合わされる。またさらなる例では、第１級アルコールと第２級アルコールは、約６０：４０の比率で組み合わされる。好適なＺＤＤＰの例には、（ｉ）約５０から約１００モル％であり、炭素数が約１から約１８である第１級アルコール、（ｉｉ）約５０モル％以下であり、炭素数が約３から約１８である第２級アルコール、（ｉｉｉ）リンを含んだ成分、および（ｉｖ）亜鉛を含んだ成分を組み合わせることによって得られた反応生成物が含まれ得る。さらなる例では、第１級アルコールは、炭素数が約１から約１８である第１級アルコールの混合物である。またさらなる例では、第１級アルコールは、炭素数が約４及び約８であるアルコールの混合物である。第２級アルコールもまたアルコールの混合物であり得る。例として、第２級アルコールは炭素数が３のアルコールを含むこともある。これらのアルコールには、分岐鎖、環、または直鎖のいずれが含まれていてもよい。
【００１９】
ＺＤＤＰは、約６０モル％の第１級アルコールと約４０モル％の第２級アルコールの組み合わせを含むことがある。
【００２０】
リン含有成分は、例えば硫化リンやそれに限定されることのない、任意の好適なリン含有成分から成る。好適な硫化リンは、五硫化リンまたは三硫化四リンを包含する。
【００２１】
亜鉛含有成分は、例えば酸化亜鉛、水酸化亜鉛、炭酸亜鉛、ジンクプロピレート、塩化亜鉛、プロピオン酸亜鉛、または酢酸亜鉛や、これらに限定されることのない、任意の好適な亜鉛含有成分を含むことがある。
【００２２】
当該反応生成物は、結果として得られる混合物、成分、または成分の混合物を含み得る。当該反応生成物には、未反応の反応物質、化学的に結合した成分、生成物、または極性結合した成分などが含まれていることも、また含まれていないこともある。
【００２３】
任意成分
本明細書に記載の潤滑剤組成物には、一つ以上の追加の添加剤成分が含まれている。好適な添加剤成分には、分散剤、酸化防止剤（即ち抗酸化剤）、摩擦低減剤、粘度調整剤、防錆剤、脱乳化剤（ｄｅｍｕｌｓｉｆｉｅｒ）、流動点降下剤、消泡剤、およびシール膨張剤などが含まれるが、これらに限定はされない。上述の各添加剤は、使用される場合、目的とする特性を潤滑剤にもたらすために、機能的に効果のある量で使用される。従って、例えば添加剤が腐食防止剤である場合、この腐食防止剤の機能的に効果のある量とは、目的とする腐食防止特性を潤滑剤にもたらすのに十分な量となる。通常使用される場合、これらの各添加剤の濃度は、潤滑剤組成物の総重量を基にして約２０重量％以下、一つの実施態様では約０．００１重量％から約２０重量％、また一つの実施態様では潤滑剤組成物の総重量を基にして０．０１重量％から約１０重量％の範囲である。
【００２４】
すべてが第１級のアルコールＺＤＤＰ抗磨耗化学品（ａｎｔｉ−ｗｅａｒ  ｃｈｅｍｉｓｔｒｙ）を使用すると、すべてが第２級のアルコールＺＤＤＰで調合されたオイルに対し、二つの利点が得られることが証明されている。それは化学中毒に関連した排ガス触媒の不活性化の量を低減させること、そしてオイルの消費量を減少させることである。リン排出指数テスト（２５０°ＣでのＰＥＩ）により、すべてが第１級の成分を含んでいるオイルのリンの揮発性が、すべてが第２級のアルコールＺＤＤＰを含んだ調合物に比べ並外れて高いとみなされているため、これらの発見は予想外のものであった。（本明細書で使用する「ＰＥＩ」とは「２５０°ＣでのＰＥＩ」と同様であることを意図する。）リンの揮発性を測定するＰＥＩテストは、自動車メーカーであるサバント株式会社（Ｓａｖａｎｔ  Ｃｏｒｐｏｒａｔｉｏｎ）やその他の会社によって、乗用車エンジンオイルのリン揮発性を評価かつコントロールし、それによって排ガス触媒コンバータの劣化を制限しまたその耐用年数を延長させる手段として提案されている。本実施例は、驚くべきことに、逆が真実であることを示している。
【実施例】
【００２５】
以下の例は実施例の態様を例示することを目的としたもので、いかなる意味でも実施例を制限することを意図したものではない。
【００２６】
発明の流体および比較用の流体を、約７０ｍｐｈで走行するフォード社の車をシミュレートするため、アフトンケミカル・コーポレーション（Ａｆｔｏｎ  Ｃｈｅｍｉｃａｌ  Ｃｏｒｐｏｒａｔｉｏｎ）作成の触媒テスト（以下「アフトン触媒テスト」と呼ぶ）によりテストした。当テストにおいて、密結合の（ｃｌｏｓｅ−ｃｏｕｐｌｅｄ）新しい触媒コンバータを、１０日間運転したエンジンに装着した。リンの揮発性に関連する影響を増大させるため、エンジン中のオイルを２４時間ごとに交換し、オイルと冷却水の温度をそれぞれ１５０℃および１２２℃まで上昇させた。オイルの消費量は、除去された質量の重量を測定し、それを取り付け時の質量から差し引くことによって正確に決定される。アフトン触媒テストの作動条件を表２に表す。
【表２】
2008138174.tif 000003
【００２７】
ノアク揮発度１５％のオイルを含有した組成物を使用したアフトン触媒テストにより、組成物のテストを行った。比較用の組成物には、低ＰＥＩの、すべてが第２級のアルコールＺＤＤＰが含まれていた。発明の組成物には、高ＰＥＩのすべてが第１級のアルコールＺＤＤＰが含まれていた。テストの結果を表３に表す。結果に見られるように、発明の組成物は比較用の組成物に比べ、使用後のオイル中に多くのリンを留保しており、触媒の不活性化が低く、またオイルの消費量が少なかった。
【００２８】
オイルの消費量はグラム／時間で表されている。触媒の不活性化の量は、「Ｔ５０」着火時間のロスによって測定した。５０％の変換効率が起こるとなる温度について説明するため、エミッションテストにおいてＴ５０を使用する。それにより全体の排気が低下されるため、Ｔ５０温度を低く維持することが望ましい。
【表３】
2008138174.tif 000004
【００２９】
本明細書の全体を通した多くの箇所で、多数の米国特許が参照されている。このような引用文献はすべて、完全に説明されたものとして本開示に明白に組み込まれている。
【００３０】
前述の実施例はその実行においてかなり変化する余地がある。従って当実施例は、上記に述べられた特定の例証に制限されることを意図したものではない。むしろ前述の実施例は、法律的に使用可能なそれらの対応範囲を含む、添付の請求項の精神および範囲内にある。
【００３１】
当特許権者は、開示された実施例のいずれをも一般に提供することは意図しておらず、また開示された修正または変更は、それらがすべて完全に請求項の範囲内に収まらない状態になるまで、均等論により当実施例の一部であると見なされる。
【００３２】
本発明の主な特徴及び態様を挙げれば以下のとおりである。
【００３３】
１．潤滑剤組成物であり：
（ａ）ノアク揮発度が約５から約１５の基油、および
（ｂ）第１級アルコキシ部分を有するジンクジアルキルジチオホスフェート
を含み、ここで当該の潤滑剤組成物が、すべてが第２級のアルコキシ部分を有するジンクジアルキルジチオホスフェートを実質的に含んでいない、潤滑剤組成物。
【００３４】
２．潤滑剤組成物がエンジンオイルである、上記１に記載の潤滑剤組成物。
【００３５】
３．潤滑剤組成物がヘビーデューティーのエンジンオイルである、上記１に記載の潤滑剤組成物。
【００３６】
４．基油のノアク揮発度が約１０から約１５である、上記１に記載の潤滑剤組成物。
【００３７】
５．基油のノアク揮発度が約９から約１３である、上記４に記載の潤滑剤組成物。
【００３８】
６．基油が鉱油、合成油、またはそれらの混合物を含む、上記１に記載の潤滑剤組成物。
【００３９】
７．基油が、グループＩの基油、グループＩＩの基油、グループＩＩＩの基油、グループ
ＩＶの基油、およびグループＶの基油から成るグループから選択された一つ以上の要素を含んでいる、上記１に記載の潤滑剤組成物。
【００４０】
８．潤滑剤組成物中のリンの総量に、すべてが第２級のアルコキシ部分を有するジンクジアルキルジチオホスフェートに起因するリンが約２０％未満含まれている、上記１に記載の潤滑剤組成物。
【００４１】
９．潤滑剤組成物中のリン総量に、すべてが第２級のアルコキシ部分を有するジンクジアルキルジチオホスフェートに起因するリンが約１５％未満含まれている、上記１に記載の潤滑剤組成物。
【００４２】
１０．潤滑剤組成物中のリン総量に、すべてが第２級のアルコキシ部分を有するジンクジアルキルジチオホスフェートに起因するリンが約１０％未満含まれている、上記１に記載の潤滑剤組成物。
【００４３】
１１．第１級アルコキシ部分を有するジンクジアルキルジチオホスフェートが、潤滑剤組成物中に約０．０３重量％から約０．１５重量％のリンを供給するのに十分な量で存在する、上記１に記載の潤滑剤組成物。
【００４４】
１２．潤滑剤組成物が、さらに第１級と第２級の両方のアルコキシ部分を有するジンクジアルキルジチオホスフェートを含む、上記１に記載の潤滑剤組成物。
【００４５】
１３．第１級と第２級の両方のアルコキシ部分を有するジンクジアルキルジチオホスフェートが、潤滑剤組成物中に約０．０３重量％から約０．１５重量％のリンを供給するのに十分な量で存在する、上記１２に記載の潤滑剤組成物。
【００４６】
１４．潤滑剤組成物であり：
（ａ）ノアク揮発度が約５から約１５の基油と
（ｂ）（ｉ）約５０から約１００モル％の炭素数が約１から約１８である第１級アル
コール、
（ｉｉ）約５０モル％以下の炭素数が約３から約１８である第２級アルコール、
（ｉｉｉ）リンを含んだ成分、および
（ｉｖ）亜鉛を含んだ成分
の反応生成物を含む潤滑剤組成物。
【００４７】
１５．リン成分が五硫化リンを含む、上記１４に記載の潤滑剤組成物。
【００４８】
１６．亜鉛成分が酸化亜鉛を含む、上記１４に記載の潤滑剤組成物。
【００４９】
１７．
（ａ）ノアク揮発度が約５から約１５の基油、および
（ｂ）第１級アルコキシ部分を有するジンクジアルキルジチオホスフェート
を含む潤滑剤組成物でエンジンを潤滑されることを含む、自動車排ガス触媒コンバータにおける触媒の不活性化を減少させる方法であり、ここで当該潤滑剤組成物にすべてが第２級のアルコキシ部分を有するジンクジアルキルジチオホスフェートが実質的に含まれていない、方法。
【００５０】
１８．
（ａ）ノアク揮発度が約５から約１５の基油、および
（ｂ）第１級アルコキシ部分を有するジンクジアルキルジチオホスフェート
を含む潤滑剤組成物でエンジンを潤滑することを含む、エンジン内のオイルの消費量を減少させる方法であり、ここで当該潤滑剤組成物にすべてが第２級のアルコキシ部分を有するジンクジアルキルジチオホスフェートが実質的に含まれていない、方法。
【００５１】
１９．潤滑剤組成物が、すべてが第２級のアルコキシ部分を有するジンクジアルキルジチオホスフェートを含有した潤滑剤組成物に比べ、オイルの消費量を低減させる、上記１８に記載の方法。
【００５２】
２０．エンジンにクランクケースを有する内燃エンジンが含まれ、潤滑剤組成物が当該エンジンのクランクケース中に存在するクランクケースオイルを含む、上記１８に記載の方法。
【００５３】
２１．エンジンに潤滑剤組成物を接触させることを含むエンジンの潤滑方法であり、当該潤滑剤組成物が、
（ａ）ノアク揮発度が約５から約１５の基油、および
（ｂ）第１級アルコキシ部分を有するジンクジアルキルジチオホスフェート
を含み、当該潤滑剤組成物にすべてが第２級のアルコキシ部分を有するジンクジアルキルジチオホスフェートが実質的に含まれていない、方法。
【００５４】
２２．潤滑剤組成物が、すべてが第２級のアルコキシ部分を有するジンクジアルキルジチオホスフェートを含有した潤滑剤組成物に比べ、オイルの消費量を低減させる、上記２１に記載の方法。
【００５５】
２３．潤滑剤組成物が、すべてが第２級のアルコキシ部分を有するジンクジアルキルジチオホスフェートを含有した潤滑剤組成物に比べ、自動車排ガス触媒コンバータ中の触媒の不活性化を低減させる、上記２１に記載の方法。